(57)【要約】      （修正有）【課題】大型化することなく水封部への補給水を確保する汚物排出装置を提供する。【解決手段】汚物排出装置は、汚物を受ける鉢部１０と、鉢部１０の下部を構成する水封部と、上流端が給水口１４に連通したリム通水路１５と、リム通水路１５内に供給された洗浄水を鉢部１０に吐出する吐水口１８Ｌ，１８Ｒと、リム通水路１５に沿うように設けられた中空部と、リム通水路１５よりも小径であり、リム通水路１５と中空部との間での洗浄水の流動を許容する連通孔３２Ｌ，３２Ｒとを備えている。【選択図】図３
2015074875.tif 000002
【特許請求の範囲】
【請求項１】
汚物を受ける鉢部と、
前記鉢部の下部を構成する水封部と、
上流端が給水口に連通したリム通水路と、
前記リム通水路内に供給された洗浄水を前記鉢部に吐出する吐水口と、
前記リム通水路に沿うように設けられた中空部と、
前記リム通水路よりも小径であり、前記リム通水路と前記中空部との間での洗浄水の流動を許容する連通孔とを備えていることを特徴とする汚物排出装置。
【請求項２】
前記中空部が前記リム通水路のほぼ直上に配置されていることを特徴とする請求項１記載の汚物排出装置。
【請求項３】
前記連通孔が、前記中空部の最低位部に開口されていることを特徴とする請求項１又は請求項２記載の汚物排出装置。
【請求項４】
前記リム通水路のうち前記連通孔よりも上流側の領域は、前記連通孔部において流路断面積が最小となるように絞られていることを特徴とする請求項１ないし請求項３のいずれか１項に記載の汚物排出装置。
【請求項５】
前記リム通水路が、前記給水口から第１流路と第２流路とに二股状に分かれており、
前記第１流路には第１の前記連通孔が設けられ、
前記第２流路には、前記給水口からの給水開始時における洗浄水の到達時間が前記第１の連通孔よりも長くなるようにされた第２の前記連通孔が設けられ、
前記第１の連通孔と前記第２の連通孔が前記中空部を介して繋がっていることを特徴とする請求項１ないし請求項４のいずれか１項に記載の汚物排出装置。
【発明の詳細な説明】
【技術分野】
【０００１】
本発明は、汚物排出装置に関する。
【背景技術】
【０００２】
特許文献１には、汚物を受ける鉢部と、鉢部の汚物を排出するための排水路を構成する水封部と、鉢部の外周縁に沿って設けたリム通水路とを備え、リム通水路への給水が停止した後、リム通水路内の洗浄水が水封部に補給されることにより、水封部の水位を確保するようにした汚物排出装置が開示されている。この汚物排出装置では、リム通水路への給水停止後の水封部への補給水の水量を確保する手段として、リム通水路の途中に、鉢部の後方へ突き出させるように迂回した形態の延長水路を設けている。延長水路には、鉢部に連通する吐水口が形成されていないので、延長水路に残留する洗浄水が、水封部への補給水として確保される。
【先行技術文献】
【特許文献】
【０００３】
【特許文献１】実公平０７−００２７６７号公報
【発明の概要】
【発明が解決しようとする課題】
【０００４】
上記の汚物排出装置では、延長水路が鉢部から後方へ突き出した形態となっているため、装置全体が大型化するという問題がある。
本発明は、上記従来の実情に鑑みてなされたものであって、大型化することなく水封部への補給水を確保することを解決すべき課題としている。
【課題を解決するための手段】
【０００５】
本発明の汚物排出装置は、
汚物を受ける鉢部と、
前記鉢部の下部を構成する水封部と、
上流端が給水口に連通したリム通水路と、
前記リム通水路内に供給された洗浄水を前記鉢部に吐出する吐水口と、
前記リム通水路に沿うように設けられた中空部と、
前記リム通水路よりも小径であり、前記リム通水路と前記中空部との間での洗浄水の流動を許容する連通孔とを備えていることを特徴とする。
【発明の効果】
【０００６】
給水口からリム通水路に供給された洗浄水の一部は、連通孔を通って中空部へ流入して一時的に貯留される。そして、給水口からリム通水路への給水が停止すると、中空部内の洗浄水が、連通孔とリム通水路内と吐水口を順に通って鉢部内に流入し、水封部に補給される。水封部への補給水を一時的に貯留するための中空部を、リム通水路に沿うように設けているので、鉢部の後方へ突き出すような延長水路を設ける場合よりも小型化することができる。
【図面の簡単な説明】
【０００７】
【図１】実施例１の汚物排出装置の平面図
【図２】図１のＡ−Ａ線断面図
【図３】図２のＢ−Ｂ線断面図
【図４】図２のＣ−Ｃ線断面図
【図５】図１のＤ−Ｄ線断面図
【図６】図１のＥ−Ｅ線断面図
【図７】図１のＦ−Ｆ線断面図
【発明を実施するための形態】
【０００８】
（１）本発明の汚物排出装置は、前記中空部が前記リム通水路のほぼ直上に配置されていてもよい。この構成によれば、水平面視において中空部とリム通水路が重なるので、装置の平面形状の大型化を回避できる。
【０００９】
（２）本発明の汚物排出装置は、前記連通孔が、前記中空部の最低位部に開口されていてもよい。この構成によれば、中空部に一時貯留されていた洗浄水を、全て、リム通水路へ流入させることができる。
【００１０】
（３）本発明の汚物排出装置は、前記リム通水路のうち前記連通孔よりも上流側の領域は、前記連通孔部において流路断面積が最小となるように絞られていてもよい。この構成によれば、リム通水路を流れる洗浄水は、連通孔に接近するほど水圧が高まるので、リム通水路内の洗浄水が中空部へ流入し易くなり、中空部に一時貯留される水封部への補給水の量が増える。
【００１１】
（４）本発明の汚物排出装置は、前記リム通水路が、前記給水口から第１流路と第２流路とに二股状に分かれ、前記第１流路には第１の前記連通孔が設けられ、前記第２流路には、前記給水口からの給水開始時における洗浄水の到達時間が前記第１の連通孔よりも長くなるようにされた第２の前記連通孔が設けられ、前記第１の連通孔と前記第２の連通孔が前記中空部を介して繋がっていてもよい。この構成によれば、給水口からの給水を開始したとき、供給された洗浄水は、第２の連通孔よりも先に第１の連通孔に到達し、第１の連通孔から中空部内に流入する。このとき、中空部内の空気は、第２の連通孔からリム通水路側へ排出されるので、第１の連通孔から中空部への洗浄水の流入が支障なく行われる。
【００１２】
＜実施例１＞
以下、本発明を具体化した実施例１を図１〜図７を参照して説明する。本実施例の汚物排出装置は、洋風大便器、汚物流し等、汚物を排出する衛生機器として機能するものと定義される。尚、以下の説明において、前後方向に関しては、図１における下側を前側、図１における上側を後側と定義する。また、左右方向に関しては、装置を正面から視た向き、つまり、図１にあらわれる向きをそのまま左側及び右側と定義する。
【００１３】
＜汚物排出装置の概要＞
汚物排出装置は、図２に示すように、上面が開放された形態であって汚物（図示省略）を受ける鉢部１０と、鉢部１０の下端に連なって鉢部１０内の汚物を洗浄水（図示省略）と一緒に排出する排水路２３と、水封部２６とを備えて構成されている。後述するように水封部２６は、鉢部１０の下端部と、排水路２３の上流側端部とを構成している。
【００１４】
図１に示すように、鉢部１０の上面の開口部の平面形状は略方形をなしている。鉢部１０の上面の開口縁部は、前縁部１１と、右側縁部１２Ｒと、左側縁部１２Ｌと、後縁部１３とで構成されている。後縁部１３の左右方向中央部には、給水口１４が形成されている。また、図１，２に示すように、鉢部１０の開口縁部には、図示しないフラッシュバルブから給水口１４を通して供給された洗浄水を鉢部１０に吐出するためのリム通水路１５が形成されている。
【００１５】
図３に示すように、リム通水路１５は、後縁部１３の左右方向中央部に配置されて給水口１４に連通する給水空間１６と、給水空間１６から後縁部１３の右端部（右側縁部１２Ｒの後端部）に至る第１流路１７Ｒと、給水空間１６から後縁部１３の左端部を経由して左側縁部１２Ｌの前後方向略中央部に至る第２流路１７Ｌとによって構成されている。第１流路１７Ｒの前端部（下流端部）は、折り返すように屈曲されていて、その先端が第１吐水口１８Ｒとなっている。第１吐水口１８Ｒは、平面視において反時計回り方向に開口している。第２流路１７Ｌの前端部（下流端部）は第２吐水口１８Ｌとなっている。第２吐水口１８Ｌも、第１吐水口１８Ｒと同様、平面視において反時計回り方向に開口している。
【００１６】
図１，２に示すように、鉢部１０の下端部には、その平面視における略中央部を竪穴状に凹ませた形態の旋回流生成部２０が形成されている。図２に示すように、鉢部１０の内面のうち旋回流生成部２０よりも上方の領域は、旋回流生成部２０に向かって下るように傾斜した鉢面２１となっている。第１吐水口１８Ｒと第２吐水口１８Ｌとから吐出された洗浄水は、鉢面２１上で反時計回りに旋回しながら旋回流生成部２０内に流入し、旋回流生成部２０内において反時計回り方向の旋回流を生成する。旋回流生成部２０のうち略下半分の領域は、溜水部２２となっている。溜水部２２内でも洗浄水が旋回する。
【００１７】
図２に示すように、排水路２３は、溜水部２２の下流端に連なる上昇路２４と、上昇路２４の下流端に連なる下降路２５とを備えて構成されている。つまり、排水路２３の入口（上流端）は、鉢部１０（旋回流生成部２０）の下端部（下流端）に繋がっている。そして、上昇路２４と溜水部２２とにより、水封部２６が構成されている。水封部２６が水封された状態では、洗浄水が溜水Ｗとして溜水部２２と上昇路２４とに貯留される。尚、溜水部２２の上端の高さは、水封時における溜水面Ｓと同じ高さであると規定される。鉢面２１や旋回流生成部２０で受け止められた汚物は、第１吐水口１８Ｒと第２吐水口１８Ｌから吐出された洗浄水に乗じて、鉢面２１上及び旋回流生成部２０内で旋回し、洗浄水とともに水封部２６、排水路２３を通って排出されるようになっている。
【００１８】
＜水封部２６への補給水を確保する手段＞
本実施例の汚物排出装置は、給水口１４からリム通水路１５への給水が停止すると、給水停止時点でリム通水路１５や鉢面２１上や旋回流生成部２０を流れている洗浄水が、水封部２６に溜水Ｗとして貯留される。そして、溜水Ｗの水面を所定高さに確保するための手段として、給水停止時点で、リム通水路１５、鉢面２１上及び旋回流生成部２０とは別に、洗浄水を一時的に貯留するための中空部３０を設け、この中空部３０内に貯留されている洗浄水を、補給水として水封部２６に供給するようになっている。
【００１９】
図４に示すように、中空部３０は、鉢部１０の開口縁部に沿うように形成され、全周に亘って連続した形態となっている。つまり、単一の空間で構成されている。中空部３０を構成する上壁部は、鉢部１０の開口縁部の上壁部を構成している。中空部３０と、リム通水路１５を構成する第１流路１７Ｒ及び第２流路１７Ｌは、上下に重なり合う縦積みの位置関係となっている。但し、リム通水路１５を構成する給水空間１６の上下方向の形成範囲は、第１流路１７Ｒ及び第２流路１７Ｌだけでなく中空部３０にも対応する領域に亘っている。したがって、鉢部１０の後縁部１３においては、中空部３０が、給水空間１６の前面壁に沿うように幅狭の通路状をなしている。
【００２０】
図７に示すように、第１流路１７Ｒは中空部３０のほぼ真下に配置されている。第１流路１７Ｒと中空部３０を区画する第１隔壁部３１Ｒには、上下方向に貫通して第１流路１７Ｒと中空部３０とを連通させる第１連通孔３２Ｒ（請求項に記載の第１の連通孔）が形成されている。図４に示すように、第１連通孔３２Ｒは、第１流路１７Ｒの下流端部（前端部）の折返部、つまり第１吐水口１８Ｒの上流側近傍位置に配置されている。また、第１連通孔３２Ｒの開口形状は円形であり、その開口面積は、第１流路１７Ｒの流れ方向と直角に切断した流路断面積に比べて小さく設定されている。
【００２１】
図７に示すように、第１隔壁部３１Ｒのうち第１連通孔３２Ｒよりも上流側であって、第１連通孔３２Ｒに近い領域は、下流側に向かって下り傾斜となるように傾いている。これにより、第１流路１７Ｒの流路断面積は、第１連通孔３２Ｒ（第１流路１７Ｒの下流側）に向かって次第に小さくなり、第１連通孔３２Ｒが形成されている領域で流路断面積が最小となっている。また、第１隔壁部３１Ｒの傾斜により、中空部３０のうち第１流路１７Ｒと対応する領域の第１底面３３Ｒ（請求項に記載の底面）は、高低差を有し、第１連通孔３２Ｒの近傍領域において最も低くなっている。したがって、第１連通孔３２Ｒは、中空部３０の第１底面３３Ｒのうち最下端位置に開口していることになる。
【００２２】
図５，６に示すように、第２流路１７Ｌも、第１流路１７Ｒと同様、中空部３０のほぼ真下に配置されている。第２流路１７Ｌと中空部３０を区画する第２隔壁部３１Ｌには、上下方向に貫通して第２流路１７Ｌと中空部３０とを連通させる第２連通孔３２Ｌ（請求項に記載の第２の連通孔）が形成されている。図４に示すように、第２連通孔３２Ｌは、第２流路１７Ｌの下流端部（前端部）、つまり第２吐水口１８Ｌの上流側近傍位置に配置されている。また、第２連通孔３２Ｌの開口形状は円形であり、その開口面積は、第２流路１７Ｌの流れ方向と直角に切断した流路断面積に比べて小さく設定されている。
【００２３】
第２隔壁部３１Ｌのうち第２連通孔３２Ｌに近い上流側領域は、第２流路１７Ｌの下流側に向かって下り傾斜となるように傾き、第２連通孔３２Ｌに近い下流側領域は、上流側に向かって下り傾斜となるように傾いている。これにより、第２連通孔３２Ｌの上流側近傍領域では、第２流路１７Ｌの流路断面積が第２連通孔３２Ｌに向かって次第に小さくなり、第２連通孔３２Ｌの下流側近傍領域でも、第２流路１７Ｌの流路断面積が第２連通孔３２Ｌに向かって次第に小さくなっている。つまり、第２流路１７Ｌの流路断面積は、第２連通孔３２Ｌが形成されている領域において最小となっている。
【００２４】
また、第２隔壁部３１Ｌの傾斜により、中空部３０のうち第２流路１７Ｌと対応する領域の第２底面３３Ｌ（請求項に記載の底面）は、高低差を有する形態となっていて、第２連通孔３２Ｌの近傍領域において最も低くなっている。したがって、第２連通孔３２Ｌは、中空部３０の第２底面３３Ｌのうち最下端位置に開口していることになる。
【００２５】
また、図３に示すように、給水口１４から第１連通孔３２Ｒに至る洗浄水の流動経路の距離は、給水口１４から第２連通孔３２Ｌに至る洗浄水の流動経路の距離よりも短く設定されている。そして、第１連通孔３２Ｒが形成されている第１流路１７Ｒの流路断面積と、第２連通孔３２Ｌが形成されている第２流路１７Ｌの流路断面積は、ほぼ同じ面積に設定されている。したがって、給水口１４から洗浄水の供給を開始してから、洗浄水が第１連通孔３２Ｒに到達するまでの時間は、洗浄水が第２連通孔３２Ｌに到達するための時間よりも短くなっている。また、第１連通孔３２Ｒの開口面積は、第２連通孔３２Ｌの開口面積よりも大きく設定されている。
【００２６】
＜作用及び効果＞
鉢部１０内を洗浄する際には、給水口１４から所定量の洗浄水をリム通水路１５に供給する。供給された洗浄水は、第１流路１７Ｒと第２流路１７Ｌを通過して第１吐水口１８Ｒと第２吐水口１８Ｌから鉢面２１に吐出され、鉢面２１上を旋回しながら鉢面２１上の汚物を除去して旋回流生成部２０内に流入する。旋回流生成部２０内では、鉢面２１から流入した洗浄水と汚物が、水封部２６の溜水Ｗを巻き込みながら旋回し、排水路２３を通して排出される。
【００２７】
また、給水口１４からの給水が開始すると、洗浄水が第１流路１７Ｒと第２流路１７Ｌに同時に流入する。そして、二手に分かれた洗浄水のうち、まず、第１流路１７Ｒを流れる洗浄水の流動方向先端が第１連通孔３２Ｒに到達し、その後、第２流路１７Ｌを流れる洗浄水の流動方向先端が第２連通孔３２Ｌに到達する。この時間差により、第２連通孔３２Ｌに洗浄水が到達するまでの間に、第１流路１７Ｒ内の洗浄水の一部が第１連通孔３２Ｒを通って中空部３０内に流入する。このとき、開放状態の第２連通孔３２Ｌにおいては、中空部３０内の空気が第２流路１７Ｌへ排出されるので、第１流路１７Ｒから中空部３０への洗浄水の流入が滞りなく進む。
【００２８】
そして、洗浄水の流動方向先端が第２連通孔３２Ｌに到達した後は、第２流路１７Ｌ内の洗浄水の一部が第２連通孔３２Ｌを通して中空部３０内に流入する。このとき、中空部３０とリム通水路１５との連通路である第１連通孔３２Ｒと第２連通孔３２Ｌは、洗浄水によって塞がれた状態となるが、中空部３０内の空気は、中空部３０に流入しようとする洗浄水と連通孔３２Ｌ，３２Ｒとの隙間を通ってリム通水路１５側へ排出される。したがって、中空部３０への洗浄水の流入に支障を来すことはない。
【００２９】
しかも、第１流路１７Ｒのうち第１連通孔３２Ｒの上流側近傍は、流路断面積が第１連通孔３２Ｒに向かって小さくなるように絞られているので、第１流路１７Ｒを流れる洗浄水は、第１連通孔３２Ｒに到達した時点で水圧と流速がほぼ最大となる。同じく、第２流路１７Ｌのうち第２連通孔３２Ｌの上流側近傍も、流路断面積が第２連通孔３２Ｌに向かって小さくなるように絞られているので、第２流路１７Ｌを流れる洗浄水は、第２連通孔３２Ｌに到達した時点で水圧と流速がほぼ最大となる。この水圧と流速の上昇により、第１流路１７Ｒ及び第２流路１７Ｌから中空部３０への洗浄水の流入が効果的に行われる。
【００３０】
上述のように給水口１４からリム通水路１５への洗浄水の供給が行われている間は、第１流路１７Ｒ及び第２流路１７Ｌから中空部３０へ洗浄水が流入され続け、水封部２６に対する補給水が貯留される。そして、給水口１４からリム通水路１５への給水が終了すると、第１流路１７Ｒ内及び第２流路１７Ｌ内では、洗浄水の水圧が低下するとともに、洗浄水が排出されていく。これに伴い、中空部３０内に一次貯留されていた洗浄水が、両連通孔３２Ｌ，３２Ｒと、両流路１７Ｌ，１７Ｒと、両吐水口１８Ｌ，１８Ｒを通過し、鉢面２１を伝って旋回流生成部２０内に流れ込み、水封部２６を水封するための溜水Ｗとなる。
【００３１】
本実施例の汚物排出装置は、大型化することなく水封部２６への補給水を確保することができるものであって、そのための手段として、汚物を受ける鉢部１０と、鉢部１０の下端部を構成する水封部２６と、鉢部１０の外周縁に沿うように設けられ、上流端が給水口１４に連通したリム通水路１５と、リム通水路１５内に供給された洗浄水を鉢部１０に吐出する吐水口１８Ｌ，１８Ｒと、リム通水路１５に沿うように設けられた中空部３０と、リム通水路１５を構成する第１流路１７Ｒ及び第２流路１７Ｌよりも小径であって、リム通水路１５と中空部３０との間での洗浄水の流動を許容する第１連通孔３２Ｒ及び第２連通孔３２Ｌとを備えている。
【００３２】
そして、給水口１４からリム通水路１５に供給された洗浄水の一部は、連通孔３２Ｌ，３２Ｒを通って中空部３０へ流入して一時的に貯留される。そして、給水口１４からリム通水路１５への給水が停止すると、中空部３０内の洗浄水が、連通孔３２Ｌ，３２Ｒとリム通水路１５内と吐水口１８Ｌ，１８Ｒを順に通って鉢部１０内に流入し、水封部２６に補給される。本実施例では、水封部２６への補給水を一時的に貯留するための中空部３０を、リム通水路１５に沿うように設けているので、鉢部１０の後方へ突き出すような延長水路を設ける場合よりも小型化することができる。
【００３３】
また、本実施例の汚物排出装置は、中空部３０がリム通水路１５のほぼ直上に配置されているので、水平面視において中空部３０とリム通水路１５が重なる。したがって、装置の平面形状の大型化を回避できる。また、中空部３０は高低差が設けられた第１底面３３Ｒと第２底面３３Ｌを有しており、第１連通孔３２Ｒと第２連通孔３２Ｌが、夫々、第１底面３３Ｒにおける最低位部と第２底面３３Ｌにおける最低部位（つまり、中空部３０の最低部位）に開口されている。この構成によれば、中空部３０に一時貯留されていた洗浄水を、全て、リム通水路１５へ流入させることができる。
【００３４】
また、リム通水路１５を構成する第１流路１７Ｒのうち第１連通孔３２Ｒよりも上流側の領域は、第１連通孔３２Ｒに向かうほど流路断面積が小さくなるように絞られている。つまり、第１流路１７Ｒの流路断面積は、第１連通孔３２Ｒの形成されている部位で最小となっている。同様に、リム通水路１５を構成する第２流路１７Ｌのうち第２連通孔３２Ｌよりも上流側の領域も、第２連通孔３２Ｌに向かうほど流路断面積が小さくなるように絞られている。つまり、第２流路１７Ｌの流路断面積は、第２連通孔３２Ｌの形成されている部位で最小となっている。この構成によれば、リム通水路１５を流れる洗浄水は、第１連通孔３２Ｒ及び第２連通孔３２Ｌに接近するほど水圧が高まるので、リム通水路１５内の洗浄水が中空部３０へ流入し易くなる。これにより、中空部３０に一時貯留される水封部２６への補給水の量を増やすことができる。
【００３５】
また、リム通水路１５は、給水口１４から第１流路１７Ｒと第２流路１７Ｌとに二股状に分かれていており、第１流路１７Ｒには第１連通孔３２Ｒが設けられ、第２流路１７Ｌには、給水口１４からの給水開始時における洗浄水の到達時間が第１連通孔３２Ｒよりも長くなるように配置された第２連通孔３２Ｌが設けられ、第１連通孔３２Ｒと第２連通孔３２Ｌが中空部３０を介して繋がっている。この構成によれば、給水口１４からの給水を開始したとき、供給された洗浄水は、第２連通孔３２Ｌよりも先に第１連通孔３２Ｒに到達し、第１連通孔３２Ｒから中空部３０内に流入する。このとき、中空部３０内の空気は、第２連通孔３２Ｌからリム通水路１５側へ排出されるので、第１連通孔３２Ｒから中空部３０への洗浄水の流入が支障なく行われる。
【００３６】
＜他の実施例＞
本発明は上記記述及び図面によって説明した実施例に限定されるものではなく、例えば次のような実施例も本発明の技術的範囲に含まれる。
（１）上記実施例では、中空部をリム通水路を構成する第１流路及び第２流路のほぼ真上に配置したが、中空部は、リム通水路の斜め上方に配置してもよく、リム通水路とほぼ同じ高さで横並びとなるように配置してもよい。
（２）上記実施例では、中空部の底面に高低差を設けたが、中空部の底面の高さは一定であってもよい。
（３）上記実施例では、中空部の形成範囲が、鉢部の外周縁のほぼ全領域に亘っているが、中空部の形成範囲は、鉢部の外周縁における一部の領域だけであってもよい。
（４）上記実施例では、中空部が単一の空間となっているが、中空部は、互いに非連通状態となるように複数の空間に区画された形態であってもよい。
（５）上記実施例では、連通孔が、リム通水路と中空部を区画する隔壁部を上下に貫通しているが、連通孔の貫通方向は、リム通水路と中空部との位置関係等に応じて、水平方向や水平に対して傾斜した方向であってもよい。
（６）上記実施例では、洗浄水の到達が早い方の第１連通孔の開口面積を、洗浄水の到達時間が遅い方の第２連通孔の開口面積より大きくしたが、第１連通孔の開口面積は、第２連通孔の開口面積と同じか、それより小さくてもよい。
（７）上記実施例では、給水口から２つの連通孔までの洗浄水の到達時間に差異が生じるようにしたが、給水口から２つの連通孔までの洗浄水の到達時間は、ほぼ同じであってもよい。
（８）上記実施例では、連通孔を吐水口の上流側近傍位置に配置したが、連通孔は、吐水口から離れた位置に配置してもよい。具体的には、給水口から連通孔までの距離が、連通孔から吐水口までの距離とほぼ同じか、それよりも短くなるような配置形態が可能である。
（９）上記実施例では、給水口から吐水口に至る第１と第２の各流路に配置する連通孔の数を、１つだけとしたが、給水口から吐水口に至る第１流路又は第２流路に、複数の連通孔が形成されていてもよい。
（１０）上記実施例では、１つの中空部に２つの連通孔が形成されているが、１つの中空部に形成する連通孔の数は、１つでもよく、３つ以上でもよい。
（１１）上記実施例では、リム通水路と中空部とを連通する２つの連通孔において、洗浄水の流動と空気の流動とを行わせるようにしたが、中空部と外気との間で空気の流動を行わせるための専用の空気抜き孔を形成してもよい。
（１２）上記実施例では、リム通水路のうち連通孔よりも上流側の領域を、連通孔に向かうほど流路断面積が小さくなるように絞った形態としたが、リム通水路の流路断面積はほぼ一定であってもよい。
（１３）上記実施例では、リム通水路の形成範囲が、鉢部の外周縁における一部の領域だけであるが、本発明は、リム通水路が鉢部の外周縁の全領域に亘って形成されている場合にも適用できる。この場合、リム通水路は全周に亘って連通した形態でも、２本の経路に分岐した形態のいずれでもよい。
（１４）上記実施例では、吐水口の数を２つとしたが、吐水口の開口数は、１つでもよく、３つ以上でもよい。
（１５）上記実施例では、洗浄水をフラッシュバルブから供給したが、洗浄水は、ロータンク等の洗浄タンクから供給されるようにしてもよい。
【符号の説明】
【００３７】
１０…鉢部
１４…給水口
１５…リム通水路
１７Ｒ…第１流路
１７Ｌ…第２流路
１８Ｒ…第１吐水口
１８Ｌ…第２吐水口
２６…水封部
３０…中空部
３２Ｒ…第１連通孔（第１の連通孔）
３２Ｌ…第２連通孔（第２の連通孔）
３３Ｒ…第１底面（底面）
３３Ｌ…第２底面（底面）
【図１】
2015074875.tif 000003
【図２】
2015074875.tif 000004
【図３】
2015074875.tif 000005
【図４】
2015074875.tif 000006
【図５】
2015074875.tif 000007
【図６】
2015074875.tif 000008
【図７】
2015074875.tif 000009